(57)【特許請求の範囲】
【請求項１】
印加されるバイアスにより動作点を任意に設定可能な特定部品と、電源制御部と、他の部品との接続を行う第一のコネクタ受部とを回路基板上に実装し、
前記第一のコネクタ受部の第一端子を前記電源制御部と第一配線部を介して電気的に接続すると共に、前記第一のコネクタ受部の第二端子を前記特定部品と第二配線部を介して電気的に接続し、かつ前記第一及び第二配線部にそれぞれ検出用端子を設けてなり、
前記第一のコネクタ受部にコネクタを接合することで前記第一配線部と前記第二配線部とを電気的に接続可能に構成されているとともに、
前記第一配線部側又は前記第二配線部側に電流調整部を備え、
前記第一のコネクタ受部とコネクタとが非接合であるときに、前記検出用端子を用いて電流を計測可能にしつつ、前記電流調整部により前記特定部品に流れる電流を調整可能になしたことを特徴とする携帯電子機器。
【請求項２】
複数のコネクタ及び各コネクタ間を接続する配線を備えた接続部材を備え、前記第一のコネクタ受部に接続される何れか一つのコネクタは、前記第一のコネクタ受部の第一及び第二の端子とそれぞれ接続される第三及び第四の端子を備え、当該第三及び第四の端子を短絡させてあることを特徴とする請求項１に記載の携帯電子機器。
【請求項３】
複数のコネクタ及び各コネクタ間を接続する配線を備えた接続部材を備え、前記第一のコネクタ受部に接続される何れか一つのコネクタは、前記第一のコネクタ受部の第一及び第二の端子とそれぞれ接続される第三及び第四の端子を備え、当該第三及び第四の端子に接続された配線を短絡させてあることを特徴とする請求項１に記載の携帯電子機器。
【請求項４】
複数のコネクタ及び各コネクタ間を接続する配線を備えた接続部材と、前記第二のコネクタ受部とを備え、前記第一のコネクタ受部に接続される何れか一つのコネクタは、前記第一のコネクタ受部の第一及び第二の端子とそれぞれ接続される第三及び第四の端子を備えると共に、他のコネクタは、前記第三及び第四の端子とそれぞれ接続される第五及び第六の端子を備え、さらに、前記第二のコネクタ受部は前記他のコネクタが接続されたときに第五及び第六の端子とそれぞれ接続される第七及び第八の端子を備え、当該第七及び第八の端子を短絡させてあることを特徴とする請求項１に記載の携帯電子機器。
【請求項５】
複数のコネクタ及び各コネクタ間を接続する配線を備えた接続部材を備え、前記第一のコネクタ受部に接続される何れか一つのコネクタは、前記第一のコネクタ受部の第一及び第二の端子とそれぞれ接続される第三及び第四の端子を備えると共に、他のコネクタには、前記第三及び第四の端子とそれぞれ接続される第五及び第六の端子を備え、当該第五及び第六の端子を短絡させてあることを特徴とする請求項１に記載の携帯電子機器。
【請求項６】
前記特定部品は、発光ダイオード、低雑音増幅器、電力増幅器、ミキサのいずれか一つであることを特徴とする請求項１乃至請求項５のいずれか１項に記載の携帯電子機器。
【発明の詳細な説明】
【技術分野】
【０００１】
本発明は、携帯電話機やＰＤＡ（Personal Digital Assistants）等の携帯電子機器に関する。
【背景技術】
【０００２】
従来、携帯電話機やＰＤＡ（Personal Digital Assistants）等の携帯電子機器には、その使用者に各種状態や情報を報知するための報知手段として発光ダイオード（ＬＥＤ：Light Emitting Diode）が用いられている。発光ダイオードは電源ＩＣから供給されたバイアスにより発光するようになっており、制御部が電源ＩＣを制御することで発光ダイオードの点灯／消灯を調整するようになっていた。
【０００３】
また、携帯電話機や無線機能を有するＰＤＡ等の携帯電子機器には、アンテナ、デュプレクサ、低雑音増幅器（ＬＮＡ：Low Noise Amplifier）、電力増幅器（ＰＡ：Power Amplifier）、信号処理部を備え、アンテナより送信される信号は、信号処理部で生成された送信信号を電力増幅器（ＰＡ：Power Amplifier）で増幅し、デュプレクサを介してアンテナより送信するようになっており、また、アンテナで受信された信号は、デュプレクサを介して低雑音増幅器（ＬＮＡ：Low Noise Amplifier）で増幅され、ミキサを通って信号処理部に入力されるようになっている。（特許文献１）
【特許文献１】特開２０００−２２４１０５号公報
【発明の開示】
【発明が解決しようとする課題】
【０００４】
ところで、発光ダイオード、低雑音増幅器、電力増幅器、ミキサ等の特定部品は、印加されるバイアスにより動作点を任意に設定することができ、部品が持つ性能を発揮させることができる。その為、特定部品の性能を発揮させるためには電源ＩＣとの間にジャンパー回路を設け、電流値調整を行うことが望ましい。
【０００５】
一方、携帯電子機器は携行性が重要視されるために小型化され、携帯電子機器を構成する筐体内に設けられた回路基板には各種様々な電子部品や電気部品が実装されることから、不要な回路や部品は極力排除する必要がある。その為、スペースの少ない回路基板に上述したようなジャンパー回路を設けると、他の必要な電子部品や電気部品が回路基板上に実装できなくなる恐れがあることから、必要な部品を回路基板上に実装することを優先し、ジャンパー回路は設けず、特定部品に対しては電圧値調整によって簡易的に電流値を調整するようになっていた。それ故、特定部品本来の性能を十分に発揮させることが難しいといった課題があった。
【０００６】
本発明は、上述した事情に鑑みてなされたものであって、回路基板上におけるスペースを増大させることなく特定部品の性能を発揮させることが可能な回路を構成することができる携帯電子機器を提供することを目的とする。
【課題を解決するための手段】
【０００７】
そこで、本発明は、印加されるバイアスにより動作点を任意に設定可能な特定部品と、電源制御部と、他の部品との接続を行う第一のコネクタ受部とを回路基板上に実装し、前記第一のコネクタ受部の第一端子を前記電源制御部と第一配線部を介して電気的に接続すると共に、前記第一のコネクタ受部の第二端子を前記特定部品と第二配線部を介して電気的に接続し、かつ前記第一及び第二配線部にそれぞれ検出用端子を設けてなり、前記第一のコネクタ受部にコネクタを接合することで前記第一配線部と前記第二配線部とを電気的に接続可能に構成されているとともに、前記第一配線部側又は前記第二配線部側に電流調整部を備え、前記第一のコネクタ受部とコネクタとが非接合であるときに、前記検出用端子を用いて電流を計測可能にしつつ、前記電流調整部により前記特定部品に流れる電流を調整可能になしたことを特徴とする。
【０００９】
前記第一のコネクタ受部にコネクタを接合することで前記第一配線部と前記第二配線部とを電気的に接続する手段としては、複数のコネクタ及び各コネクタ間を接続する配線を備えた接続部材を備え、前記第一のコネクタ受部に接続される何れか一つのコネクタは、前記第一のコネクタ受部の第一及び第二の端子とそれぞれ接続される第三及び第四の端子を備え、当該第三及び第四の端子を短絡させることが好ましい。
【００１０】
また、複数のコネクタ及び各コネクタ間を接続する配線を備えた接続部材を備え、前記第一のコネクタ受部に接続される何れか一つのコネクタは、前記第一のコネクタ受部の第一及び第二の端子とそれぞれ接続される第三及び第四の端子を備え、当該第三及び第四の端子に接続された配線を短絡させることが好ましい。
【００１１】
さらに、複数のコネクタ及び各コネクタ間を接続する配線を備えた接続部材と、前記第二のコネクタ受部とを備え、前記第一のコネクタ受部に接続される何れか一つのコネクタは、前記第一のコネクタ受部の第一及び第二の端子とそれぞれ接続される第三及び第四の端子を備えると共に、他のコネクタは、前記第三及び第四の端子とそれぞれ接続される第五及び第六の端子を備え、さらに、前記第二のコネクタ受部は前記他のコネクタが接続されたときに第五及び第六の端子とそれぞれ接続される第七及び第八の端子を備え、当該第七及び第八の端子を短絡させることが好ましい。
【００１２】
また、複数のコネクタ及び各コネクタ間を接続する配線を備えた接続部材を備え、前記第一のコネクタ受部に接続される何れか一つのコネクタは、前記第一のコネクタ受部の第一及び第二の端子とそれぞれ接続される第三及び第四の端子を備えると共に、他のコネクタには、前記第三及び第四の端子とそれぞれ接続される第五及び第六の端子を備え、当該第五及び第六の端子を短絡させることが好ましい。
【００１３】
また、前記特定部品としては、発光ダイオード、低雑音増幅器、電力増幅器、ミキサのいずれか一つに適用することが好ましい。
【発明の効果】
【００１４】
本発明によれば、回路基板上におけるスペースを増大させることなく特定部品の性能を発揮させることが可能な回路を備えた携帯電子機器を提供することができる。
【発明を実施するための最良の形態】
【００１５】
図１から図７は本発明に係る一実施形態を示しており、ここで説明する実施の形態は、この発明を携帯電話機に適用した場合のものである。
【００１６】
図１に示すように、この実施の形態に係る携帯電話機（携帯電子機器）１は、第１の筐体２と、この第１の筐体２の厚さ方向に重ね合わせ可能な第２の筐体３と、これら２つの筐体２，３を相互に折り畳み自在に連結するヒンジ部５とを備えている。なお、ヒンジ部５は、２つの筐体２，３の各基端部２ａ，３ａ同士を連結するように配されている。
【００１７】
第２の筐体３の内部には、各種情報を表示する表示面７ａを有するＬＣＤ（Liquid Crystal Display）、有機ＥＬ（Electro Luminescence）ディスプレイ、無機ＥＬディスプレイ等の表示部７及び通話用のスピーカ部９が設けられている。表示部７の表示面７ａは、２つの筐体２，３を相互に重ね合わせた状態において第１の筐体２に対向する第２の筐体３の対向面３ｃ側に露出している。スピーカ部９は、基端部３ａとは反対側に位置する第２の筐体３の先端部３ｂに配されており、第２の筐体３の対向面３ｃから第２の筐体３の内部空間に貫通する開口部３ｄを介して外方に露出している。
【００１８】
第１の筐体２の内部には、テンキー、カーソルキー、通話キーや終話キー等のファンクションキー等の押下操作可能な複数の操作キー１０を備えたキー操作部１１、及び通話用のマイクロフォン部１５が設けられている。キー操作部１１の各操作キー１０は、２つの筐体２，３を相互に重ね合わせた状態において第２の筐体３に対向する第１の筐体２の対向面２ｃから外方に露出している。
【００１９】
マイクロフォン部１５は、基端部２ａとは反対側に位置する第１の筐体２の先端部２ｂに配されており、第１の筐体２の対向面２ｃから第１の筐体２の内部空間に貫通する開口部２ｄを介して外方に露出している。
【００２０】
第１の筐体２は、図１、２に示すように、第１の筐体２の対向面２ｃ側を構成するフロントケース１７、及び第１の筐体２の外面２ｆ側を構成するリアケース１９を備えている。これらフロントケース１７及びリアケース１９は、互いに第１の筐体２の厚さ方向に結合可能となっている。
【００２１】
第一筐体２は、リヤケース１９の内部に回路基板３４を備えている。回路基板３４の一の表面上に実装された無線通信部（信号処理部、ＰＡ(Power Amplifier)、ＬＮＡ(Low Noise Amplifier)、デュプレクサ）、記憶部、電源ＩＣ（電源制御部）、制御部等は、回路基板３４上に形成された基準電位層（グランドパターン）と接続された導電性のシールドケース２３によって覆われている。
【００２２】
また、回路基板３４の他の表面３４ｂには、各操作キー１０と対向する位置にそれぞれスイッチ２１が複数形成されると共に、各スイッチ２１間に報知手段としての発光ダイオード（ＬＥＤ：Light Emitting Diode）２２が実装されている。また、回路基板３４の他の表面３４ｂには、接続ケーブル（接続部材）７０の第一コネクタ７１と接続される第一コネクタ受部３７が実装されている。
【００２３】
また、リアケース１９の先端部２ｂ内にアンテナ３０が配置され、該アンテナ３０は無線通信部に接続されている。
【００２４】
フロントケース１７の基端両側には、第２の筐体３を開閉可能に軸支するヒンジ部５の軸受部９Ａ，９Ｂがリアケース１９側に向かって突出して設けられている。
【００２５】
軸受部９Ａ，９Ｂは第２の筐体３に設けられた筒状の回転軸２７Ａとヒンジユニット２７Ｂの端部がそれぞれ挿通される第一孔部２８Ａ，２８Ｂを備えている。
【００２６】
また、フロントケース１７の基部側には、第２の筐体３に設けられた突出部１４を収納するための収納凹部１３が形成されている。
【００２７】
一方、第１の筐体２に開閉可能に軸支される第２の筐体３は、第２の筐体３の対向面３ｃ側を構成するフロントケース１６、及び第２の筐体２の外面３ｆ側を構成するリアケース１８を備えている。これらフロントケース１６及びリアケース１８は、互いに第２の筐体３の厚さ方向に結合可能となっている。
【００２８】
フロントケース１６の内部には回路基板５５が配置され、回路基板５５の他の表面５５ｂには接続ケーブル７０の第二コネクタ７３と接続される第二コネクタ受部５６が設けられ、回路基板５５に隣接し、フロントケース１６の基部側には、カメラモジュール１２が内装されている。
【００２９】
フロントケース１６の基部の表面側には、ヒンジ部５の突出部１４が第１の筐体２側に向かって突出して設けられ、前記筒状の回転軸２７Ａ及びヒンジユニット２７Ｂの一部が突出部１４の両端から突き出すように突出部１４に内装されている。回転軸２７Ａは内部に第二孔部９０を備えている。第二孔部９０は、接続ケーブル７０が挿通可能な大きさを有している。
【００３０】
突出部１４を前記収納凹部１３に嵌め込んだ状態で、回転軸２７Ａ及びヒンジユニット２７Ｂの両端がそれぞれ前記第一孔部９Ａ，９Ｂに挿入され、軸受部９Ａ，９Ｂに支持される。これにより第１の筐体２と第２の筐体３は開閉可能に支持される。
【００３１】
また、リアケース１８の外面３ｆ側には、カメラモジュール１２のレンズ１２ａが露出する窓３ｇが形成されている。
【００３２】
前述した回路基板３４と回路基板５５とは接続ケーブル７０によって接続されている。接続ケーブル７０は回路基板３４側の第一コネクタ受部３７に接続される第一コネクタ７１と、回路基板５５側の第二コネクタ受部５６に接続される第二コネクタ７３と、これら第一コネクタ７１と第二コネクタ７３とを接続するケーブル部（配線）７２とで構成されている。
【００３３】
接続ケーブル７０は、複数の同軸ケーブルからなるケーブル部７２が前記第二孔部９０に挿通され、第一コネクタ受部３７と第二コネクタ受部５６に跨って設けられることによって、回路基板３４と回路基板５５を接続するものである。
【００３４】
回路基板３４の一の表面（リアケース１９側の表面）には、信号処理部、電力増幅器（ＰＡ：Power Amplifier）、低雑音増幅器（ＬＮＡ：Low Noise Amplifier）、デュプレクサ等からなる無線通信部、記憶部、電源ＩＣ、制御部等が所定の配線パターンを介してそれぞれ実装されており、また、回路基板３４の他の表面３４ｂには、複数のスイッチ２１と報知手段としての発光ダイオード（ＬＥＤ：Light Emitting Diode）２２が所定のパターンを介して実装されている。
【００３５】
また、前記発光ダイオード２２を発光させるためのＬＥＤ用回路は、図３に概略図を示すように、発光ダイオード２２、電源ＩＣ２４、可変抵抗器（電流調整部）２５とから構成され、発光ダイオード２２と可変抵抗器２５は第一配線部３１を介して第一コネクタ受部３７と接続されると共に、電源ＩＣ２４は第二配線部３２を介して第一コネクタ受部３７と接続されるようになっている。
【００３６】
即ち、図３、４に示すように、第一配線部側は、第一配線部３１の一端が回路基板３４の基準電位層と接続され、可変抵抗器２５、発光ダイオード２２を介して第一コネクタ受部３７の第一端子４１と接続されている。また、第一コネクタ受部３７と発光ダイオード２２との間の第一配線部３１には検出用端子３１Ａが設けられている。さらに、第二配線部側は、第二配線部３２の一端が電源ＩＣ２４の出力部に接続され、他端が第一コネクタ受部３７の第二端子４２と接続されている。また、電源ＩＣ２４と第一コネクタ受部３７との間の第二配線部３２には検出用端子３２Ａが設けられている。なお、図３における３５は制御部、３６は二次電池であり、二次電池３６は制御部３５及び電源ＩＣ２４と接続されている。
【００３７】
また、接続ケーブル７０の第一コネクタ７１内にはジャンパー部４３が設けられ、第一コネクタ７１と第一コネクタ受部３７とを接続することによって第一端子４１と第二端子４２が短絡されるようになっている。
【００３８】
つまり、接続ケーブル７０の第一コネクタ７１が回路基板３４の第一コネクタ受部３７に接続されることで、第一コネクタ受部３７の第一端子４１と第二端子４２とが導通し、発光ダイオード２２、電源ＩＣ２４、可変抵抗器（電流調整部）２５とでＬＥＤ用回路が構成されることになる。
【００３９】
したがって、上述の第一実施形態によれば、第一コネクタ７１を第一コネクタ受部３７から外し、入力ラインとしての第一配線部３１及び出力ラインとしての第二配線部３２にそれぞれ形成された検出用端子３１Ａ，３２Ａに電流計測器Ａを接続することで発光ダイオード２２に流れる電流値を測定することができる。そして、第一配線部３１に設けられた可変抵抗器２５を調整することにより発光ダイオード２２に印加されるバイアスを制御することで、動作点を任意に設定することができ、発光ダイオード２２の性能を十分に発揮させることが可能となる。
【００４０】
また、回路基板３４と回路基板５５との接続に使用されている接続ケーブル７０の第一コネクタ７１内にジャンパー部４３を設けるため、ジャンパー回路用のスペースを回路基板３４上に別途設ける必要がなく、回路基板３４の占有スペースを増大させることなくＬＥＤ用回路を構成することが可能となる。
【００４１】
次に、本発明の第二実施形態を図３を援用し、図５に基づいて説明する。尚、第一実施形態と同一部分には、同一符号を付して説明する（以下の実施形態でも同様）。
【００４２】
この実施形態では、発光ダイオード２２の入力ラインとしての第一配線部３１は第一コネクタ受部３７内の第一端子４１に接続され、電源ＩＣ２４の出力ラインとしての第二配線部３２は第一コネクタ受部３７内の第二端子４２に接続されている。
【００４３】
また、接続ケーブル７０の第一コネクタ７１内には、第一コネクタ受部３７の第一端子４１に接続される第三端子４４と、第二端子４２に接続される第四端子４５とが設けられ、両者は接続ケーブル７０のケーブル部７２内に導かれている。
【００４４】
ケーブル部７２内にはジャンパー部４３が設けられており、第三端子４４と第四端子４５はケーブル部７２内のジャンパー部４３で短絡されている。
【００４５】
つまり、接続ケーブル７０の第一コネクタ７１が回路基板３４の第一コネクタ受部３７に接続されることで、第一コネクタ受部３７の第一端子４１と第二端子４２とが導通し、発光ダイオード２２、電源ＩＣ２４、可変抵抗器（電流調整部）２５とでＬＥＤ用回路が構成されることになる。
【００４６】
上述の第二実施形態によれば、回路基板３４の第一コネクタ受部３７に接続される接続ケーブル７０のケーブル部７２のみ変更すれば良く、接続ケーブル７０の第一コネクタ７１を第一コネクタ受部３７から外し、第一配線部３１及び第二配線部３２にそれぞれ形成された検出用端子３１Ａ及び３２Ａに電流計測器Ａをそれぞれ接続することで発光ダイオード２２に流れる電流値を測定することができる。そして、第一配線部３１に設けられた可変抵抗器２５を調整して発光ダイオード２２に印加するバイアスを制御することで、動作点を任意に設定することができるため、発光ダイオード２２の性能を十分に発揮させることが可能となる。
【００４７】
また、回路基板３４と回路基板５５との接続に使用されている接続ケーブル７０のケーブル部７２内にジャンパー部４３を設けるため、ジャンパー回路用のスペースを回路基板３４上に別途設ける必要がなく、回路基板３４の占有スペースを増大させることなくＬＥＤ用回路を構成することが可能となる。
【００４８】
次に、本発明の第三実施形態を図３を援用し、図６に基づいて説明する。
【００４９】
この実施形態では、発光ダイオード２２への入力ラインとしての第一配線部３１は第一コネクタ受部３７内の第一端子４１に接続され、電源ＩＣ２４の出力ラインとしての第二配線部３２は第一コネクタ受部３７内の第二端子４２に接続されている。
【００５０】
接続ケーブル７０の第一コネクタ７１内には、第一コネクタ受部３７の第一端子４１に接続される第三端子４４と、第二端子４２に接続される第四端子４５とが設けられ、ケーブル部７２を介して第二コネクタ７３まで延設されている。
【００５１】
第二コネクタ７３内には、第三端子４４に接続される第五端子４６と、第四端子４５に接続される第六端子４７が設けられ、第二コネクタ７３は、第二コネクタ受部５６に接続している。
【００５２】
第二コネクタ受部５６内には、第五端子４６に接続される第七端子４８と第六端子４７に接続される第八端子４９が設けられている。
【００５３】
また、第二コネクタ受部５６内にはジャンパー部４３が設けられており、第七端子４８と第八端子４９とを接続することによって第七端子４８と第八端子４９が短絡されるようになっている。
【００５４】
つまり、接続ケーブル７０の第一コネクタ７１が第一コネクタ受部３７に接続し、且つ、第二コネクタ７３が第二コネクタ受部５６に接続されることで初めて第一コネクタ受部３７の第一端子４１と第二端子４２とが導通し、発光ダイオード２２、電源ＩＣ２４、可変抵抗器（電流調整部）２５とでＬＥＤ用回路が構成されることになる。
【００５５】
上述の第三実施形態によれば、第二コネクタ７３を第二コネクタ受部５６から外す、又は第一コネクタ７１を第一コネクタ受部３７から外しておけば、第一配線部３１及び第二配線部３２にそれぞれ形成された検出用端子３１Ａ，３２Ａに電流計測器Ａをそれぞれ接続することで発光ダイオード２２に流れる電流値を測定することができる。そして、第一配線部３１に形成された可変抵抗器２５を調整することにより発光ダイオード２２に印加するバイアスを制御することで、動作点を任意に設定することができ、発光ダイオード２２の性能を十分に発揮させることが可能となる。
【００５６】
また、回路基板３４と回路基板５５との接続に使用されている接続ケーブル７０の第二コネクタ受部５６にジャンパー部４３を設けるため、ジャンパー回路用のスペースを回路基板３４上に別途設ける必要がなく、回路基板３４の占有スペースを増大させることなくＬＥＤ用回路を構成することが可能となる。
【００５７】
さらに、回路基板３４と回路基板５５とを接続する接続ケーブル７０に何ら加工を必要とせず、回路基板５５上に設けられた第二コネクタ７３のみに加工を施せば良く、回路基板３４と接続ケーブル７０は従来通りのものを用いることができ、対策が容易となる。
【００５８】
次に、本発明の第四実施形態を図３を援用し、図７に基づいて説明する。
【００５９】
この実施形態では、発光ダイオード２２への入力ラインとしての第一配線部３１は第一コネクタ受部３７内の第一端子４１に接続され、電源ＩＣ２４の出力ラインとしての第二配線部３２は第一コネクタ受部３７内の第二端子４２に接続されている。
【００６０】
接続ケーブル７０の第一コネクタ７１内には、第一コネクタ受部３７の第一端子４１に接続される第三端子４４と、第二端子４２に接続される第四端子４５とが設けられ、ケーブル部７２を介して第二コネクタ７３まで延設されている。
【００６１】
第二コネクタ７３内には、第三端子４４に接続される第五端子４６と、第四端子４５に接続される第六端子４７が設けられ、第二コネクタ７３は、第二コネクタ受部５６に接続している。
【００６２】
第二コネクタ受部５６内には、第五端子４６に接続される第七端子４８と第六端子４７に接続される第八端子４９が設けられている。
【００６３】
また、ジャンパー部４３が回路基板５５上に設けられ、予め第二コネクタ受部５６と接続されおり、第七端子４８と第八端子４９とを短絡している。
【００６４】
つまり、接続ケーブル７０の第一コネクタ７１が第一コネクタ受部３７に接続し、且つ、第二コネクタ７３が第二コネクタ受部５６に接続されることで初めて第一コネクタ受部３７の第一端子４１と第二端子４２とが導通し、発光ダイオード２２、電源ＩＣ２４、可変抵抗器（電流調整部）２５とでＬＥＤ用回路が構成されることになる。
【００６５】
上述の第四実施形態によれば、回路基板５５のみ変更を加えれば良く、第二コネクタ７３を第二コネクタ受部５６から外す、又は第一コネクタ７１を第一コネクタ受部３７から外しておけば、第一配線部３１及び第二配線部３２にそれぞれ形成された検出用端子３１Ａ，３２Ａに電流計測器Ａを接続して発光ダイオード２２に流れる電流調整を可変抵抗器２５を介して行うことができ、発光ダイオード２２の性能を発揮するように調整することができる。
【００６６】
また、第二コネクタ受部５６の第七端子４８と第八端子４９とを短絡させるジャンパー部４３を回路基板５５に形成しておくだけで良いため、ジャンパー回路用の専用スペースを回路基板３４上に設ける必要がなく、回路基板３４の占有スペースを増大させることなくＬＥＤ用回路を構成することが可能となる。
【００６７】
さらに、回路基板３４と接続ケーブル７０には何ら加工を必要とせず、回路基板５５のみに加工を施すことで回路基板３４と接続ケーブル７０は従来通りのものを用いることができ、対策が容易となる。
【００６８】
以上のように第一の実施形態によれば、回路基板３４側に何らの加工も必要なくなるため、接続ケーブル７０にのみ変更を加えることで様々な回路基板３４を備えた製品に適用でき、汎用性が高まる効果がある。
【００６９】
また、第二の実施形態によれば、回路基板３４に何らの加工も必要なく、接続ケーブル７０の配線のみを変更することで様々な回路基板３４を備えた製品に適用でき、汎用性が高まる効果がある。
【００７０】
また、第三、第四の実施形態によれば、回路基板３４側や接続ケーブル７０には何らの加工も必要なく、第二のコネクタ受部５６や回路基板５５に加工を施せば良く、回路基板３４と接続ケーブル７０はそのまま従来通りのものを用いることができ、対策が容易となる効果がある。
【００７１】
尚、この発明は上述した実施形態に限られるものではなく、例えば図６に示す第三実施形態では、第二コネクタ受部５６にジャンパー部４３を設けた場合について説明したが、第二コネクタ７３にジャンパー部４３を設けた構成としてもよい。
【００７２】
また、第一乃至第四の実施形態では、電流調整部として可変抵抗器２５を用いた例を示したが、例えば、図３に示すＬＥＤ用回路のうち、抵抗器は固定抵抗器とし、電源ＩＣ２４側に電圧可変電源を用いた構成とし、電源ＩＣ２４側で電流調整を行うようにしても構わない。
【００７３】
さらに、第一乃至第四の実施形態では、印加されるバイアスにより動作点を任意に設定可能な特定部品として発光ダイオードを用いた例を示したが、これだけに限らず、電力増幅器（ＰＡ：Power Amplifier）や低雑音増幅器（ＬＮＡ：Low Noise Amplifier）、ミキサ等のように、印加されるバイアスにより動作点を任意に設定可能な特定部品と電源ＩＣ２４との間の回路に本発明を適用しても構わない。なお、本発明において、印加されるバイアスにより動作点を任意に設定可能とは、発光ダイオードのように、印加されるバイアスにより輝度を任意に設定できるものも含む。
【００７４】
また、本実施形態では折り畳み式の携帯電話機を例にして説明したが、回転タイプやスライドタイプの携帯電話機、さらにはストレートタイプの携帯電話機にも適用可能である。
【００７５】
さらに、上記実施形態では接続ケーブル７０に第一コネクタ７１、第二コネクタ７３を設けた場合について説明したが、接続ケーブル７０のケーブル部７２を直接第一コネクタ受部３７や第二コネクタ受部５６に接続した構成としてもよい。
【００７６】
そして、上記実施形態では接続ケーブル７０に同軸ケーブルを設けてある場合について説明したが、同軸ケーブルに代えてフレキシブル基板（ＦＦＣ，ＦＰＣ）及びフラットケーブルを用いた場合であっても第一実施形態〜第四実施形態の何れかの構成をとることで同様の効果を奏することができる。
【図面の簡単な説明】
【００７７】
【図１】本発明の実施形態における携帯電話機を示す斜視図である。
【図２】本発明の実施形態における携帯電話機を示す分解斜視図である。
【図３】本発明の実施形態における携帯電話機に備えるＬＥＤ用回路を説明するための概略図である。
【図４】本発明のＬＥＤ用回路の第一実施形態を示す詳細図である。
【図５】本発明のＬＥＤ用回路の第二実施形態を示す詳細図である。
【図６】本発明のＬＥＤ用回路の第三実施形態を示す詳細図である。
【図７】本発明のＬＥＤ用回路の第四実施形態を示す詳細図である。
【符号の説明】
【００７８】
１  携帯電話機（携帯電子機器）、２  第１の筐体、３  第２の筐体、５  ヒンジ部、２２  発光ダイオード、２４  電源ＩＣ（電源制御部）、２５  可変抵抗器（電流制御部）、３４  回路基板、３５  制御部、３６  二次電池、３７  第一コネクタ受部、４１  第一端子、４２  第二端子、４３  ジャンパー部、４４  第三端子、４５  第四端子、４６  第五端子、４７  第六端子、４８  第七端子、４９  第八端子、５５  回路基板、５６  第二コネクタ受部、７０  接続ケーブル（接続部材）、７１  第一コネクタ（コネクタ）、７２  ケーブル部（配線）、７３  第二コネクタ（コネクタ）
【図１】
0004606361.tif 000002
【図２】
0004606361.tif 000003
【図３】
0004606361.tif 000004
【図４】
0004606361.tif 000005
【図５】
0004606361.tif 000006
【図６】
0004606361.tif 000007
【図７】
0004606361.tif 000008